(57)【要約】      （修正有）【課題】従来のインターホン親機、およびそれを用いた集合住宅監視通話システムによる重複来訪者に対する通話障害を克服することのできる、改良されたインターホン親機、およびそれを用いた集合住宅監視通話システムを提供する。【解決手段】インターホン親機は、共同玄関に設置されたロビーインターホンや、住戸の玄関先に設置したドアホン子器からの呼出に応じて呼出音を出力させる手段および通話路切替手段を備え、呼出音停止スイッチを有し、このスイッチが操作されたときには、該呼出音の出力を停止させる手段を備えている。また、インターホン親機は、通話保留スイッチを有し、このスイッチが操作されたときには、該呼出音の出力を停止させるとともに、通話路をロビーインターホン側に切り替える手段を備えてもよい。【選択図】図１
2004179796.tif 000002
【特許請求の範囲】
【請求項１】
共同玄関に設置されたロビーインターホンや、住戸の玄関先に設置したドアホン子器などからの呼出に応じて呼出音を出力させる手段、および通話路切替手段を備えたインターホン親機において、
呼出音停止スイッチを有し、このスイッチが操作されたときには、該呼出音の出力を停止させる手段を備えたことを特徴とするインターホン親機。
【請求項２】
共同玄関に設置されたロビーインターホンからの呼出や、住戸の玄関先に設置したドアホン子器などからの呼出に応じて呼出音を出力させる手段、および通話路切替手段を備えたインターホン親機において、
通話保留スイッチを有し、このスイッチが操作されたときには、該呼出音の出力を停止させるとともに、ドアホン子器側、ロビーインターホン側に対する通話路の切替を制御する手段を備えたことを特徴とするインターホン親機。
【請求項３】
請求項１または２において、
上記インターホン親機がハンズフリーインターホンであることを特徴とするインターホン親機。
【請求項４】
請求項１〜３のいずれかにおいて、
上記インターホン親機は、火災センサ、防犯センサなどのセキュリティセンサを接続し、それらが作動したときには警報音を出力させる機能を備えたセキュリティインターホンであり、上記呼出音の出力を停止する手段が、さらに警報音の出力を停止する動作をなすことを特徴とするインターホン親機。
【請求項５】
請求項１〜４のいずれかにおいて、
上記インターホン親機は、上記ロビーインターホン、ドアホン子器のそれそれぞれに設けたテレビカメラからの映像を表示するモニタ表示部を備えたテレビインターホンであることを特徴とするインターホン親機。
【請求項６】
請求項１に記載のインターホン親機と、共同玄関に設置されたロビーインターホンと、各住戸に設置されたドアホン子器とを、警報監視盤を介して制御線と通話線とで接続して構成したことを特徴とする集合住宅監視通話システム。
【請求項７】
請求項２に記載のインターホン親機と、共同玄関に設置されたロビーインターホンと、各住戸に設置されたドアホン子器とを、警報監視盤を介して制御線と通話線とで接続して構成したことを特徴とする集合住宅監視通話システム。
【発明の詳細な説明】
【０００１】
【発明の属する技術分野】
本発明はインターホン親機、およびそれを用いた集合住宅監視通話システムに関し、さらに詳しくは、マンション等の集合住宅やテナントビルなど（以下では、「集合住宅」という）において、共同玄関に設置されたロビーインターホン、各住戸やテナント（以下では、「住戸」という）に設置されたドアホン子器、およびこれらからの呼出に応じて呼出音を発生させる手段と通話切替手段とを備えたインターホン親機、およびそれを用いた集合住宅監視通話システムに関するものである。
【０００２】
【従来の技術】
近時の集合住宅においては、管理人室等に設置された警報監視盤にロビーインターホンが接続され、各住戸にインターホン親機、ドアホン子器が設置された集合住宅監視通話システムが広く使用されている。
【０００３】
特許文献１には、音量抑制回路を有する音響部から呼出音と警報音とを鳴動させるドアホン副親機を有する、セキュリティインターホン装置が開示されている。
特許文献２には、スムーズに警報音などの報知音を停止できるハンズフリーインターホンが開示されている。
【０００４】
図３は、従来例より広く使用されているインターホン親機１００、およびそれを用いた集合住宅監視通話システム１０４を示している。
集合住宅のある住戸を訪れた来訪者はまず、ロビーインターホン１０２を使ってその住戸を指定する。すなわち、ロビーインターホン１０２のテンキー９ｂを用いて、表示部９ｃに表示される住戸番号を確認しながら、住戸番号を入力する。
あるいは、住戸番号を知らない場合には、ロビーインターホン１０２の呼出釦９ａを押し、スピーカ９ｄ、マイク９ｅを使って管理人と通話し、来意を告げる。
いずれの場合でも、ロビーインターホン１０２から呼出しがあると、ロビーインターホン１０２に接続された警報監視盤１０３から、制御信号線Ｌｓを介して、呼び出された住戸のインターホン親機１００の制御信号送受信回路４に信号が送られ、制御手段３によってその信号が処理される。その結果、呼出・警報音発生回路２が作動して本体スピーカＳＰＭから呼出音が発せられ、来訪者のあることが住人に報知される。なお、Ｌａ，Ｌｂは、ドアホン子器通話路、ロビーインターホン通話路である。
【０００５】
報知された住戸の住人が、インターホン親機１００の送受話器１３を取り上げて、マイクＭＩＣとスピーカＳＰで応答し（ハンズフリーインターホンの場合は親機と一体になっているので、通話スイッチを操作して応答する）、その来訪を確認すると、共同玄関の電気錠が解錠される。来訪者はめざす住戸まで進み、ドアホン子器１００の呼出釦８ａを押す。すると、インターホン親機１００に設けたドアホン呼出検出回路５が呼出を検知して、制御手段３がこれを解読し、通話路切替リレー１１を、ロビーインターホン側のｂ接点からドアホン子器側のａ接点に切り替え、それと同時に、呼出・警報音発生回路２を通じて本体スピーカＳＰＭを作動して呼出音を発する。これに応じて、住人が送受話器１３を上げるとフックスイッチＦＳＷがオンになり、通話回路１２を通じて、住人は住戸の玄関先に居る来訪者と通話することができる。なお、８ｂ、８ｃは、ドアホン子器１０１側に設けたスピーカと、マイクである。
【特許文献１】
特開平１０−３２６３９６
【特許文献２】
特開平１１−５５３９３
【０００６】
【発明が解決しようとする課題】
しかしながら、この来訪者とドアホン子器１０１を通じて通話している間に、たまたま第二の来訪者からロビーインターホン１０２を通じて呼出があった場合には、上記と同様にしてその住戸のインターホン親機１００の本体スピーカＳＰＭから呼出音が鳴動するため、通話の妨げとなる。とくにハンズフリー型の場合には、本体スピーカと通話スピーカとが共通になっているため通話が妨害され、正常な通話続行が不能になる。
【０００７】
そこで、呼出音を停止する必要があるが、従来のインターホン親機では、送受話器から通話応答するしかないため、ひとまず先発来訪者との通話を終了させなければならず、この場合さらに、インターホン親機の機種によっては、住戸側から先発来訪者との通話を再開できない、という問題も生じていた。
【０００８】
本発明の目的は、このような従来のインターホン親機、およびそれを用いた集合住宅監視通話システムによる重複来訪者に対する通話障害を克服することのできる、改良されたインターホン親機、およびそれを用いた集合住宅監視通話システムを提供することにある。
【０００９】
【課題を解決するための手段】
この目的を達成するため、本発明の請求項１に記載のインターホン親機は、呼出音停止スイッチを有し、このスイッチが操作されたときには、上記呼出音の出力を停止させる手段を備えたことを特徴とする。
【００１０】
請求項２に記載のインターホン親機は、通話保留スイッチを有し、このスイッチが操作されたときには、ドアホン子器、ロビーインターホンのいずれかの後発呼出元からの呼出音の出力を停止させるとともに、通話路を先発呼出元から後発呼出元側に切り替える手段を備えたことを特徴とする。
【００１１】
請求項３に記載のインターホン親機は、請求項１または２において、ハンズフリーインターホンであることを特徴とする。
【００１２】
請求項４に記載のインターホン親機は、請求項１〜３のいずれかにおいて、インターホンが、火災センサ、防犯センサなどのセキュリティセンサを接続し、それらが作動したときには警報音を出力させる機能を備えたセキュリティインターホンであり、呼出音の出力を停止する手段が、さらに警報音の出力を停止する動作をなすことを特徴とする。
【００１３】
請求項５に記載のインターホン親機は、請求項１〜４のいずれかにおいて、インターホンが、ロビーインターホン、ドアホン子器のそれそれぞれに設けたテレビカメラからの映像を表示するモニタ表示部を備えたテレビインターホンであることを特徴とする。
【００１４】
請求項６に記載のインターホン親機は、請求項１に記載のインターホン親機と、共同玄関に設置されたロビーインターホンと、各住戸に設置されたドアホン子器とを、警報監視盤を介して制御線と通話線とで接続して構成したことを特徴とする。
【００１５】
請求項７に記載のインターホン親機は、請求項２に記載のインターホン親機と、共同玄関に設置されたロビーインターホンと、各住戸に設置されたドアホン子器とを、警報監視盤を介して制御線と通話線とで接続して構成したことを特徴とする。
【００１６】
【発明の実施の形態】
以下、本発明の実施の形態について、添付図面を用いて説明する。
図１は、第１の発明として提案されるインターホン親機Ａ１、それを用いた集合住宅監視通話システムＥ１の構成を示すブロック図である。
【００１７】
本発明の集合住宅監視通話システムＥ１は、各住戸に設置された本発明のインターホン親機Ａ１と、各住戸に接続されたドアホン子器Ｂと、共同玄関に設置されたロビーインターホンＣと、このロビーインターホンＣに接続された警報監視盤Ｄとを備えて構成されている。
【００１８】
インターホン親機Ａ１は、ドアホン子器ＢおよびロビーインターホンＣと通話するための通話手段１と、制御手段３と、制御信号送受信回路４とを備えている。
ここに、通話手段１は、通話路切替リレー１１と、送受話器１３（マイクＭＩＣと通話用スピーカＳＰを有する）を上げるとオンになるフックスイッチＦＳＷによって作動する通話回路１２とを有する。
また、制御信号送受信回路４は、制御信号線Ｌｓを介して警報監視盤Ｄとの間で信号を送受し、制御手段３に必要な制御信号を送受する。なお、１０はドアホン子器Ｂ側に設けたテレビカメラ８ｄ、ロビーインターホンＣ側に設けたテレビカメラ９ｆとの間で映像信号を送受して来客の映像を映し出すためのモニタ表示部であり、これらのカメラ８ｄ、９ｆと、モニタ表示部１０とは、不図示の映像線で接続されている。
なお、近時においては、２線式信号線に映像信号、制御信号、通話信号を重畳させて、通話監視を行うインターホン親機、ドアホン子器、それとロビーインターホン、警報監視盤とを組み合わせた監視通話システムも開発されているが、本発明は、そのようなものに対する適用を除外するものではない。
一方のマイクロプロセッサ等を含んだ制御手段３は、制御信号送受信回路４と通話路切替リレー１１を制御するとともに、呼出・警報音発生回路２に信号を出力し、ドアホン呼出検出回路５から呼出検知信号を受ける。
なお、図例では、インターホン親機Ａ１は、呼出・警報音発生回路２には、本体スピーカＳＰＭが接続されているが、ハンズフリーインターホンに適用する場合には送受話器１３が親機Ａ１と一体に構成されているため、通話用スピーカＳＰは本体スピーカＳＰＭと共通に構成される。
【００１９】
以上のような基本構成をなす本発明のインターホン親機Ａ１の特徴は、呼出音停止機能を備えた点にあり、実施例では、呼出音停止スイッチ６ａを有する操作部６を、制御手段３に接続して設けている。
【００２０】
このような呼出音停止スイッチ６ａを設けたものでは、住人がインターホン親機Ａ１、子機Ｂを通じて来訪者と通話中に、第二の来訪者が現れて本体スピーカＳＰＭから呼出音が鳴った場合、従来のように通話を終了させる必要はなく、通話状態を保持したまま、そのスイッチ６ａを押すだけでよい。
それにより、制御手段３からの信号で呼出・警報音発生回路２がオフになり、呼出音が止む。この場合、回路２を強制的にオフにする代わりに、呼出音信号をミュート、あるいはマスキングして聞こえないようにしてもよい。
【００２１】
図２は、第２の本発明として提案されるインターホン親機Ａ２、およびそれを用いて構成される集合住宅監視通話システムＥ２を示している。
図１に示した構成と異なる点は、インターホン親機Ａ２に通話保留機能を備えた点にあり、実施例では、操作部６に通話保留スイッチ７ａを備えている。
【００２２】
すなわち、図２に示す本発明においては、ドアホン子器Ｂからの呼出に応答し通話している間に後発呼出元からの呼出音が報知された場合、住人は先発呼出元にその旨伝えてから、通話状態を保持したまま、通話保留スイッチ７ａを押せばよい。すると制御手段３からの信号により、呼出・警報音発生回路２がオフになり、呼出音が止む。と同時に、制御手段３から通話路切替リレー１１に信号が送られて接続が反転する。
先発呼出元がドアホン子器Ｂである場合には、通話切替リレーは、ドアホン子器Ｂ側の接点ｂからロビーインターホンＣ側の接点ａに切替接続する。これにより、後発来訪者との通話が可能となり、いわゆる「キャッチホン」の機能が可能となる。後発来訪者との通話が終われば、ふたたび通話保留スイッチ７ａを押すことにより、通話路切替リレー１１が再反転してａ側にもどるので、住人は先発来訪者との通話を再開できる。なお、最初に通話保留スイッチ７ａを押したとき、ロビーインターホンＣ側に自動的にメッセージを送るようにしてもよい。
【００２３】
以上の説明では、先発呼出がドアホン子器Ｂからの場合を想定しているが、先発呼出がロビーインターホンＣあるいは警報監視盤Ｄにいる相手との通話中（このとき通話線Ｌｂが使われている）、ドアホン子器Ｂから呼出があった場合にも、上記と同様にして通話路を切り替えて対応できる。とくにこの場合、通常、住戸側からは通話を再開できない相手なので、後発呼出に対応した後、先発呼出に復帰できることの効果は大きい。
【００２４】
本発明のインターホン親機は、ハンズフリーインターホンとすることができ、この場合には、本体スピーカと通話スピーカが共通になる。
【００２５】
また、本発明のインターホン親機は、火災センサ、防犯センサなどのセキュリティセンサを接続し、それらが作動したときには警報音を出力させる機能を備えたセキュリティインターホンとすることができる。この場合、呼出音の出力を停止する手段が、さらに警報音の出力を停止する動作をなすように、機能を兼ねさせることができる。
【００２６】
更に、本発明のインターホン親機は、ロビーインターホン、ドアホン子器のそれそれぞれに設けたテレビカメラ９ｆ、８ｄで撮影された来客の映像を表示するモニタ表示部１０を備えたテレビインターホンとすることができる。この場合、通話機能のみならず、カメラ、テレビを用いて監視する機能も付加される。
【００２７】
【発明の効果】
以上説明したように、本発明によれば、次の効果を奏することができる。
まず請求項１に記載のインターホン親機によれば、集合住宅のある住戸の住人が来訪者と通話中、第二の来訪者を報知する呼出音が鳴っても、呼出音停止手段を用いて即刻、呼出音を停止させることができるので、従来のように一旦通話を切る必要がなく、通話を続けることができる。したがって、先発通話相手との通話再開不能という問題もクリアできる。
【００２８】
また、請求項２に記載のインターホン親機によれば、通話中に第二の来訪者からの呼出音が鳴っても、いわゆる「キャッチホン」のように一旦通話を保留したまま、後発来訪者と通話した後、先発相手と通話を再開することができる。
【００２９】
更に、請求項３に記載のインターホン親機によれば、送受話器を上げる必要がないため、便利である。
【００３０】
請求項４に記載のインターホン親機によれば、火災、防犯に対するセキュリティ機能も兼ねることができ、この場合、呼出音停止と警報音停止とを兼ねることができる。
【００３１】
請求項５に記載のインターホン親機によれば、ロビーインターホン、ドアホン子器がそれそれぞれテレビカメラを設け、親機がモニタテレビを備えているため、この場合には通話機能のみならず、監視機能をも付加することができる。
【００３２】
請求項６に記載の集合住宅監視通話システムは、請求項１に記載のインターホン親機を用いるため、従来のシステムでは問題であった重複来訪者による通話障害をクリアすることができる。
【００３３】
請求項７に記載の集合住宅監視通話システムは、請求項２に記載のインターホン親機を用いるため、いわゆる「キャッチホン」の機能を有し、従来のシステムでは問題であった重複来訪者による通話障害をクリアすることができる。
【００３４】
【図面の簡単な説明】
【図１】第１の本発明のインターホン親機、およびそれを用いた集合住宅監視通話システムの構成を示すブロック図。
【図２】第２の本発明のインターホン親機、およびそれを用いた集合住宅監視通話システムの構成を示すブロック図。
【図３】従来例の集合住宅監視通話システムの構成を示すブロック図。
【００３５】
【符号の説明】
Ａ…インターホン親機
ＳＰ・・・スピーカ
ＭＩＣ・・・マイク
ＳＰＭ・・・本体スピーカ
Ｂ・・・ドアホン子器
Ｃ・・・ロビーインターホン
Ｄ・・・警報監視盤
Ｅ・・・集合住宅監視通話システム
Ｌａ・・・通話線（ドアホン子器通話路）
Ｌｂ・・・通話線（ロビーインターホン通話路）
Ｌｓ・・・制御信号線
１・・・通話手段
１１・・・通話路切替手段
１２・・・通話回路
１３・・・送受話器
２・・・呼出・警報音発生回路
３・・・制御手段
４・・・制御信号送受信回路
５・・・ドアホン呼出検出回路
６・・・操作部
６ａ・・・呼出音禁止スイッチ
７・・・通話保留部
７ａ・・・通話保留スイッチ
８ａ・・・呼出釦
８ｂ・・・スピーカ
８ｃ・・・マイク
８ｄ・・・テレビカメラ
９ａ・・・呼出釦
９ｂ・・・テンキー
９ｃ・・・表示部
９ｄ・・・スピーカ
９ｅ・・・マイク
９ｆ・・・テレビカメラ
１０・・・モニタ表示部
【図１】
2004179796.tif 000003
【図２】
2004179796.tif 000004
【図３】
2004179796.tif 000005